(57)【要約】  本発明は、広帯域無線接続（ＢＷＡ）通信システムにおけるサービング基地局が、隣接基地局（ＢＳ）の情報を通知するためのブロードキャストメッセージを構成して移動端末機（ＭＳ）へ送信する方法及びシステムに関する。このような方法は、サービング基地局に隣接した隣接基地局を探索し、探索された隣接基地局の情報を収集して、隣接基地局の情報サイズを隣接基地局の情報を送信するフレームのサイズと比較するステップと、比較の結果に従って、隣接基地局の情報を含む少なくとも１つのブロードキャストメッセージを構成し、構成されたブロードキャストメッセージに含まれる情報に従って、ブロードキャストメッセージのフィールドを設定するステップと、設定されたフィールドを含むブロードキャストメッセージをブロードキャストするステップとを具備する。
2008506301.tif 000002
【特許請求の範囲】
【請求項１】
広帯域無線接続通信システムにおけるサービング基地局が、隣接基地局の情報を移動端末機へ送信する方法であって、
前記サービング基地局に隣接した隣接基地局を探索し、前記探索された隣接基地局の情報を収集して、前記隣接基地局の情報サイズを前記隣接基地局の情報を送信するフレームのサイズと比較するステップと、
前記比較の結果に従って、前記隣接基地局の情報を含む少なくとも１つのブロードキャストメッセージを構成し、前記構成されたブロードキャストメッセージに含まれる情報に従って、前記ブロードキャストメッセージのフィールドを設定するステップと、
前記設定されたフィールドを含むブロードキャストメッセージをブロードキャストするステップと
を具備することを特徴とする方法。
【請求項２】
前記少なくとも１つのブロードキャストメッセージを構成するステップにおいて、
前記隣接基地局は、隣接基地局グループに分割され、前記隣接基地局グループの各々に関する情報は、前記構成されたブロードキャストメッセージに挿入されると共に、
前記隣接基地局グループの各々に関する情報を含む前記構成されたブロードキャストメッセージが、前記構成されたブロードキャストメッセージを送信するためのフレームのサイズより大きくないサイズを有することを特徴とする請求項１記載の方法。
【請求項３】
前記構成されたブロードキャストメッセージは、前記隣接基地局の分割情報、及び前記ブロードキャストメッセージに含まれた隣接基地局グループ内の隣接基地局に関する情報を含むことを特徴とする請求項２記載の方法。
【請求項４】
前記隣接基地局の分割情報は、前記ブロードキャストメッセージの識別インデックス情報と、前記隣接基地局グループの総個数に該当する前記構成されたブロードキャストメッセージの総個数情報とを含むことを特徴とする請求項３記載の方法。
【請求項５】
前記隣接基地局の分割情報は、前記ブロードキャストメッセージに含まれた前記隣接基地局グループの前記隣接基地局の総個数情報と、前記探索された隣接基地局の総個数情報とを含むことを特徴とする請求項３記載の方法。
【請求項６】
前記ブロードキャストメッセージは、前記ブロードキャストメッセージのタイプ情報と、前記ブロードキャストメッセージの運営者識別情報と、前記ブロードキャストメッセージの構成情報とを含むことを特徴とする請求項３記載の方法。
【請求項７】
前記ブロードキャストメッセージは、前記ブロードキャストメッセージに含まれた前記隣接基地局グループ内の隣接基地局の総個数情報と、前記隣接基地局の識別情報と、前記隣接基地局のチャンネル情報とを含むことを特徴とする請求項３記載の方法。
【請求項８】
前記構成されたブロードキャストメッセージのフィールドを設定するステップにおいて、前記フィールドは、前記構成されたブロードキャストメッセージの総個数情報と、前記構成されたブロードキャストメッセージの識別インデックス情報と、前記構成されたブロードキャストメッセージに含まれた前記隣接基地局グループに関する情報とに基づいて設定されることを特徴とする請求項１記載の方法。
【請求項９】
前記隣接基地局グループ内の前記隣接基地局に関する情報は、前記構成されたブロードキャストメッセージに含まれた隣接基地局の総個数情報と、前記隣接基地局の識別情報と、前記隣接基地局のチャンネル情報であることを特徴とする請求項８記載の方法。
【請求項１０】
前記構成されたブロードキャストメッセージのフィールドを設定するステップにおいて、前記フィールドは、前記ブロードキャストメッセージの構成情報に基づいて設定されることを特徴とする請求項１記載の方法。
【請求項１１】
前記ブロードキャストメッセージをブロードキャストするステップにおいて、
前記構成されたブロードキャストメッセージは、前記ブロードキャストメッセージの総個数に対応する個数のフレームに含まれて、順次にブロードキャストされることを特徴とする請求項１記載の方法。
【請求項１２】
隣接基地局の情報を移動端末機へブロードキャストするサービング基地局を含む広帯域無線接続通信システムにおける前記移動端末機が、前記隣接基地局の情報を受信する方法であって、
前記移動端末機が前記サービング基地局から送信された第１のブロードキャストメッセージを受信するステップと、
前記第１のブロードキャストメッセージに含まれた隣接基地局の情報を獲得し、前記獲得された情報に従って、前記第１のブロードキャストメッセージが分割されたブロードキャストメッセージであるか否かを判定するステップと、
前記第１のブロードキャストメッセージが分割されたブロードキャストメッセージである場合に、前記サービング基地局から送信される少なくとも１つ以上の分割されたブロードキャストメッセージを受信するステップと
を具備することを特徴とする方法。
【請求項１３】
前記第１のブロードキャストメッセージが分割されたブロードキャストメッセージであるか否かを判定するステップにおいて、前記隣接基地局の情報が分割された情報であるか否かが判定されることを特徴とする請求項１２記載の方法。
【請求項１４】
広帯域無線接続通信システムにおけるサービング基地局が、隣接基地局の情報を移動端末機へ送信する方法であって、
前記サービング基地局に隣接した隣接基地局を探索し、前記探索された隣接基地局の情報を収集して、前記隣接基地局の情報サイズを前記隣接基地局の情報を送信するフレームのサイズと比較するステップと、
前記比較の結果に従って、前記隣接基地局の情報をグルーピングするステップと、
前記隣接基地局の情報を含む少なくとも１つ以上のブロードキャストメッセージを構成し、前記構成されたブロードキャストメッセージの総個数情報、及び前記ブロードキャストメッセージの識別インデックス情報に対応して、前記ブロードキャストメッセージのフィールドを設定するステップと、
前記ブロードキャストメッセージを前記移動端末機へブロードキャストするステップと
を具備することを特徴とする方法。
【請求項１５】
隣接基地局の情報を移動端末機へブロードキャストするサービング基地局を含む広帯域無線接続通信システムにおける前記サービング基地局が、前記隣接基地局の情報を構成する方法であって、
前記サービング基地局に隣接した隣接基地局を探索し、前記探索された隣接基地局の情報を収集して、前記隣接基地局の情報サイズを前記隣接基地局の情報を送信するフレームのサイズと比較するステップと、
前記比較の結果に対応して、前記隣接基地局の情報を含む少なくとも１つのブロードキャストメッセージを構成し、前記構成されたブロードキャストメッセージに含まれる情報に従って、前記ブロードキャストメッセージのフィールドを設定するステップと
を具備することを特徴とする方法。
【請求項１６】
前記少なくとも１つのブロードキャストメッセージを構成するステップにおいて、
前記隣接基地局は、隣接基地局グループに分割され、前記隣接基地局グループの各々に関する情報は、前記構成されたブロードキャストメッセージに挿入されると共に、
前記隣接基地局グループの各々に関する情報を含む前記構成されたブロードキャストメッセージが、前記構成されたブロードキャストメッセージを送信するためのフレームのサイズより大きくないサイズを有することを特徴とする請求項１５記載の方法。
【請求項１７】
前記構成されたブロードキャストメッセージは、前記隣接基地局の分割情報、及び前記ブロードキャストメッセージに含まれた隣接基地局グループ内の隣接基地局に関する情報を含むことを特徴とする請求項１６記載の方法。
【請求項１８】
前記隣接基地局の分割情報は、前記ブロードキャストメッセージの識別インデックス情報と、前記隣接基地局グループの総個数に該当する前記構成されたブロードキャストメッセージの総個数情報とを含むことを特徴とする請求項１７記載の方法。
【請求項１９】
前記隣接基地局の分割情報は、前記ブロードキャストメッセージに含まれた前記隣接基地局グループの前記隣接基地局の総個数情報と、前記探索された隣接基地局の総個数情報とを含むことを特徴とする請求項１７記載の方法。
【請求項２０】
前記ブロードキャストメッセージは、前記ブロードキャストメッセージのタイプ情報と、前記ブロードキャストメッセージの運営者識別情報と、前記ブロードキャストメッセージの構成情報とを含むことを特徴とする請求項１７記載の方法。
【請求項２１】
前記ブロードキャストメッセージは、前記ブロードキャストメッセージに含まれた隣接基地局グループ内の前記隣接基地局の総個数情報と、前記隣接基地局の識別情報と、前記隣接基地局のチャンネル情報とを含むことを特徴とする請求項１７記載の方法。
【請求項２２】
前記構成されたブロードキャストメッセージのフィールドを設定するステップにおいて、前記フィールドは、前記構成されたブロードキャストメッセージの総個数情報と、前記構成されたブロードキャストメッセージの識別インデックス情報と、前記構成されたブロードキャストメッセージに含まれた前記隣接基地局グループに関する情報とに基づいて設定されることを特徴とする請求項１５記載の方法。
【請求項２３】
前記隣接基地局グループ内の前記隣接基地局に関する情報は、前記構成されたブロードキャストメッセージに含まれた隣接基地局グループ内の前記隣接基地局の総個数情報と、前記隣接基地局の識別情報と、前記隣接基地局のチャンネル情報とを含むことを特徴とする請求項２２記載の方法。
【請求項２４】
前記構成されたブロードキャストメッセージのフィールドを設定するステップにおいて、前記フィールドは、前記ブロードキャストメッセージの構成情報に基づいて設定されることを特徴とする請求項２２記載の方法。
【請求項２５】
隣接基地局の情報を移動端末機へブロードキャストするサービング基地局を含む広帯域無線接続通信システムにおける前記サービング基地局が、前記隣接基地局の情報を送受信する方法であって、
前記サービング基地局に隣接した隣接基地局を探索し、前記探索された隣接基地局の情報を収集して、前記隣接基地局の情報サイズを前記隣接基地局の情報を送信するフレームのサイズと比較した後に、前記比較の結果に従って、前記隣接基地局の情報を含む少なくとも１つのブロードキャストメッセージを構成し、前記構成されたブロードキャストメッセージに含まれた情報に従って、前記ブロードキャストメッセージのフィールドを設定し、前記設定されたフィールドを含むブロードキャストメッセージをブロードキャストするステップと、
前記移動端末機が、前記サービング基地局から送信されたブロードキャストメッセージを受信し、前記ブロードキャストメッセージに含まれた前記隣接基地局の情報を獲得し、前記獲得された情報から、前記ブロードキャストメッセージが分割されたブロードキャストメッセージであるか否かを判定した後に、前記判定の結果、前記ブロードキャストメッセージが前記分割されたブロードキャストメッセージである場合に、前記サービング基地局から送信される少なくとも１つ以上の分割されたブロードキャストメッセージを受信するステップと
を具備することを特徴とする方法。
【請求項２６】
前記少なくとも１つのブロードキャストメッセージを構成するステップにおいて、
前記隣接基地局は、隣接基地局グループに分割され、前記隣接基地局グループの各々に関する情報は、前記構成されたブロードキャストメッセージに挿入されると共に、
前記隣接基地局グループの各々に関する情報を含む前記構成されたブロードキャストメッセージが、前記構成されたブロードキャストメッセージを送信するためのフレームのサイズより大きくないサイズを有することを特徴とする請求項２５記載の方法。
【請求項２７】
前記構成されたブロードキャストメッセージは、前記隣接基地局の分割情報、及び前記ブロードキャストメッセージに含まれた隣接基地局グループ内の隣接基地局に関する情報を含むことを特徴とする請求項２６記載の方法。
【請求項２８】
前記隣接基地局の分割情報は、前記ブロードキャストメッセージの識別インデックス情報と、前記隣接基地局グループの総個数に該当する前記構成されたブロードキャストメッセージの総個数情報とを含むことを特徴とする請求項２７記載の方法。
【請求項２９】
前記隣接基地局の分割情報は、前記ブロードキャストメッセージに含まれた前記隣接基地局グループの前記隣接基地局の総個数情報と、前記探索された隣接基地局の総個数情報とを含むことを特徴とする請求項２７記載の方法。
【請求項３０】
前記ブロードキャストメッセージは、前記ブロードキャストメッセージのタイプ情報と、前記ブロードキャストメッセージの運営者識別情報と、前記ブロードキャストメッセージの構成情報とを含むことを特徴とする請求項２７記載の方法。
【請求項３１】
前記ブロードキャストメッセージは、前記ブロードキャストメッセージに含まれた前記隣接基地局グループ内の隣接基地局の総個数情報と、前記隣接基地局の識別情報と、前記隣接基地局のチャンネル情報とを含むことを特徴とする請求項２７記載の方法。
【請求項３２】
前記構成されたブロードキャストメッセージのフィールドを設定するステップにおいて、前記フィールドは、前記構成されたブロードキャストメッセージの総個数情報と、前記構成されたブロードキャストメッセージの識別インデックス情報と、前記構成されたブロードキャストメッセージに含まれた前記隣接基地局グループに関する情報とに基づいて設定されることを特徴とする請求項２５記載の方法。
【請求項３３】
前記隣接基地局グループ内の前記隣接基地局に関する情報は、前記構成されたブロードキャストメッセージに含まれた隣接基地局グループ内の前記隣接基地局の総個数情報と、前記隣接基地局の識別情報と、前記隣接基地局のチャンネル情報とを含むことを特徴とする請求項３２記載の方法。
【請求項３４】
前記構成されたブロードキャストメッセージのフィールドを設定するステップにおいて、前記フィールドは、前記ブロードキャストメッセージの構成情報に基づいて設定されることを特徴とする請求項３２記載の方法。
【請求項３５】
前記ブロードキャストメッセージをブロードキャストするステップにおいて、
前記構成されたブロードキャストメッセージは、前記ブロードキャストメッセージの総個数に対応する個数のフレームに含まれて、順次にブロードキャストされることを特徴とする請求項２５記載の方法。
【請求項３６】
前記ブロードキャストメッセージが分割されたブロードキャストメッセージであるか否かを判定するステップにおいて、前記隣接基地局の情報が分割された情報であるか否かが判定されることを特徴とする請求項２５記載の方法。
【請求項３７】
隣接基地局の情報を移動端末機へブロードキャストするサービング基地局を含む広帯域無線接続通信システムにおける前記サービング基地局が、前記隣接基地局の情報を送受信するシステムであって、
前記サービング基地局に隣接した隣接基地局を探索し、前記探索された隣接基地局の情報を収集して、前記隣接基地局の情報サイズを前記隣接基地局の情報を送信するフレームのサイズと比較した後に、前記比較の結果に従って、前記隣接基地局の情報を含む少なくとも１つのブロードキャストメッセージを構成し、前記構成されたブロードキャストメッセージに含まれた情報に従って、前記ブロードキャストメッセージのフィールドを設定し、前記設定されたフィールドを含むブロードキャストメッセージをブロードキャストする前記サービング基地局と、
前記サービング基地局から送信されたブロードキャストメッセージを受信し、前記ブロードキャストメッセージに含まれた前記隣接基地局の情報を獲得し、前記獲得された情報から、前記ブロードキャストメッセージが分割されたブロードキャストメッセージであるか否かを判定した後に、前記判定の結果、前記ブロードキャストメッセージが前記分割されたブロードキャストメッセージである場合に、前記サービング基地局から送信される少なくとも１つ以上の分割されたブロードキャストメッセージを受信する前記移動端末機と
を具備することを特徴とするシステム。
【請求項３８】
前記サービング基地局が前記少なくとも１つのブロードキャストメッセージを構成すると、前記サービング基地局は、前記隣接基地局を隣接基地局グループに分割し、前記隣接基地局グループの各々に関する情報を前記構成されたブロードキャストメッセージに挿入すると共に、
前記隣接基地局グループの各々に関する情報を含む前記構成されたブロードキャストメッセージが、前記構成されたブロードキャストメッセージを送信するためのフレームのサイズより大きくないサイズを有することを特徴とする請求項３７記載のシステム。
【請求項３９】
前記構成されたブロードキャストメッセージは、前記隣接基地局の分割情報、及び前記ブロードキャストメッセージに含まれた隣接基地局グループ内の隣接基地局に関する情報を含むことを特徴とする請求項３８記載のシステム。
【請求項４０】
前記隣接基地局の分割情報は、前記ブロードキャストメッセージの識別インデックス情報と、前記隣接基地局グループの総個数に該当する前記構成されたブロードキャストメッセージの総個数情報とを含むことを特徴とする請求項３９記載のシステム。
【請求項４１】
前記隣接基地局の分割情報は、前記ブロードキャストメッセージに含まれた前記隣接基地局グループの前記隣接基地局の総個数情報と、前記探索された隣接基地局の総個数情報とを含むことを特徴とする請求項３９記載のシステム。
【請求項４２】
前記ブロードキャストメッセージは、前記ブロードキャストメッセージのタイプ情報と、前記ブロードキャストメッセージの運営者識別情報と、前記ブロードキャストメッセージの構成情報とを含むことを特徴とする請求項３９記載のシステム。
【請求項４３】
前記ブロードキャストメッセージは、前記ブロードキャストメッセージに含まれた前記隣接基地局グループ内の隣接基地局の総個数情報と、前記隣接基地局の識別情報と、前記隣接基地局のチャンネル情報とを含むことを特徴とする請求項３９記載のシステム。
【請求項４４】
前記サービング基地局は、前記構成されたブロードキャストメッセージの総個数情報と、前記構成されたブロードキャストメッセージの識別インデックス情報と、前記構成されたブロードキャストメッセージに含まれた前記隣接基地局グループに関する情報とに基づいて、前記構成されたブロードキャストメッセージのフィールドを設定することを特徴とする請求項３７記載のシステム。
【請求項４５】
前記隣接基地局グループ内の前記隣接基地局に関する情報は、前記構成されたブロードキャストメッセージに含まれた隣接基地局グループ内の前記隣接基地局の総個数情報と、前記隣接基地局の識別情報と、前記隣接基地局のチャンネル情報とを含むことを特徴とする請求項４４記載のシステム。
【請求項４６】
前記サービング基地局は、前記構成されたブロードキャストメッセージの構成情報に基づいて、前記構成されたブロードキャストメッセージのフィールドを設定することを特徴とする請求項４４記載のシステム。
【請求項４７】
前記サービング基地局は、前記ブロードキャストメッセージの総個数に対応する個数のフレームに前記ブロードキャストメッセージを含ませて、順次にブロードキャストすることを特徴とする請求項３７記載のシステム。
【請求項４８】
前記移動端末機は、前記隣接基地局の情報が分割された情報であるか否かを判定することによって、前記ブロードキャストメッセージが分割されたブロードキャストメッセージであるか否かを判定することを特徴とする請求項３７記載のシステム。
【請求項４９】
隣接基地局の情報を移動端末機へブロードキャストするサービング基地局を含む広帯域無線接続通信システムにおける前記サービング基地局が、前記隣接基地局の情報を構成するシステムであって、
前記サービング基地局に隣接した隣接基地局を探索し、前記探索された隣接基地局の情報を収集して、前記隣接基地局の情報サイズを前記隣接基地局の情報を送信するフレームのサイズと比較した後に、前記比較の結果に従って、前記隣接基地局の情報を含む少なくとも１つのブロードキャストメッセージを構成し、前記構成されたブロードキャストメッセージに含まれた情報に従って、前記ブロードキャストメッセージのフィールドを設定する前記サービング基地局を具備することを特徴とするシステム。
【請求項５０】
前記サービング基地局が前記少なくとも１つのブロードキャストメッセージを構成すると、前記サービング基地局は、前記隣接基地局を隣接基地局グループに分割し、前記隣接基地局グループの各々に関する情報を前記構成されたブロードキャストメッセージに挿入すると共に、
前記隣接基地局グループの各々に関する情報を含む前記構成されたブロードキャストメッセージが、前記構成されたブロードキャストメッセージを送信するためのフレームのサイズより大きくないサイズを有することを特徴とする請求項４９記載のシステム。
【請求項５１】
前記構成されたブロードキャストメッセージは、前記隣接基地局の分割情報、及び前記ブロードキャストメッセージに含まれた隣接基地局グループ内の隣接基地局に関する情報を含むことを特徴とする請求項５０記載のシステム。
【請求項５２】
前記隣接基地局の分割情報は、前記ブロードキャストメッセージの識別インデックス情報と、前記隣接基地局グループの総個数に該当する前記構成されたブロードキャストメッセージの総個数情報とを含むことを特徴とする請求項５１記載のシステム。
【請求項５３】
前記隣接基地局の分割情報は、前記ブロードキャストメッセージに含まれた前記隣接基地局グループの前記隣接基地局の総個数情報と、前記探索された隣接基地局の総個数情報とを含むことを特徴とする請求項５１記載のシステム。
【請求項５４】
前記ブロードキャストメッセージは、前記ブロードキャストメッセージのタイプ情報と、前記ブロードキャストメッセージの運営者識別情報と、前記ブロードキャストメッセージの構成情報とを含むことを特徴とする請求項５１記載のシステム。
【請求項５５】
前記ブロードキャストメッセージは、前記ブロードキャストメッセージに含まれた前記隣接基地局グループ内の隣接基地局の総個数情報と、前記隣接基地局の識別情報と、前記隣接基地局のチャンネル情報とを含むことを特徴とする請求項５１記載のシステム。
【請求項５６】
前記サービング基地局は、前記構成されたブロードキャストメッセージの総個数情報と、前記構成されたブロードキャストメッセージの識別インデックス情報と、前記構成されたブロードキャストメッセージに含まれた前記隣接基地局グループに関する情報とに基づいて、前記構成されたブロードキャストメッセージのフィールドを設定することを特徴とする請求項４９記載のシステム。
【請求項５７】
前記隣接基地局グループ内の前記隣接基地局に関する情報は、前記構成されたブロードキャストメッセージに含まれた隣接基地局グループ内の前記隣接基地局の総個数情報と、前記隣接基地局の識別情報と、前記隣接基地局のチャンネル情報とを含むことを特徴とする請求項５６記載のシステム。
【請求項５８】
前記サービング基地局は、前記構成されたブロードキャストメッセージの構成情報に基づいて、前記構成されたブロードキャストメッセージのフィールドを設定することを特徴とする請求項５６記載のシステム。
【発明の詳細な説明】
【技術分野】
【０００１】
本発明は、広帯域無線接続通信システムに関し、特に、広帯域無線接続（ＢＷＡ；Broadband Wireless Access）通信システムにおいて、サービング基地局（Serving BS；Serving Base Station）が、隣接基地局（Neighbor BS；Neighbor Base Station）情報を移動端末機（ＭＳ；Mobile Station）に通知するための隣接基地局の情報を構成して送受信する方法及びシステムに関する。
【背景技術】
【０００２】
一般に、通信システムは、音声サービスを中心に発展してきており、徐々に音声だけでなく、データサービス及び多様なマルチメディアサービスも可能な通信システムに発展している。しかしながら、音声サービス中心の通信システムは、データ送信の帯域幅が比較的狭く、使用料が高いので、急増するユーザのサービス要求を満足することができない。また、通信産業の発達及びインターネットサービスに対するユーザの要求の増加によって、インターネットサービスを効率的に提供することができる通信システムに対する必要性が増大している。これに従って、急増するユーザの要求を満足させるだけの広帯域を有し、インターネットサービスを効率的に提供するための広帯域無線接続（Broadband Wireless Access；以下、‘ＢＷＡ'と称する）通信システムが導入されてきた。
【０００３】
上記ＢＷＡ通信システムは、音声だけでなく、低速及び高速の多様なデータサービス、高画質動映像を提供するマルチメディア応用サービスを支援するための通信システムである。上記ＢＷＡ通信システムは、広帯域を使用する無線媒体に基づいて、移動又は固定環境で、ＰＳＴＮ（Public Switched Telephone Network）、ＰＳＤＮ、インターネット網、ＩＭＴ−２０００網、ＡＴＭ網などを接続することができ、高速のチャンネル送信率を支援することができる通信システムである。上記ＢＷＡ通信システムは、加入者端末（Subscriber Station；以下、‘ＳＳ'と称する）の移動性（固定又は移動）、通信環境（室内又は室外）、及びチャンネル送信率に従って、広帯域無線加入者網、広帯域移動アクセス網及び高速無線近距離通信ネットワーク（ＬＡＮ；Local Area Network）に分類することができる。
【０００４】
一方、ＢＷＡ通信システムの無線接続方式は、国際標準化機構のうちの１つである電気電子技術者協会（Institute of Electrical and Electronics Engineers：ＩＥＥＥ）ＩＥＥＥ８０２．１６標準化グループで標準化されており、ＩＥＥＥは、現在固定された状態、すなわち、ＳＳの移動性を考慮しない状態のＳＳに対して、広帯域無線インターネットサービスを提供するためのＩＥＥＥ８０２．１６ｄ標準の制定を推進中である。
【０００５】
ＩＥＥＥ８０２．１６ｄ標準に従うＢＷＡシステムは、従来の音声サービスのための無線技術に比べて、データの送信帯域幅が広くて、短い時間に多くのデータ送信を遂行することができ、すべてのユーザチャンネルを共有して、チャンネルを効率的に使用することが可能である。また、ＩＥＥＥ８０２．１６ｄ標準に従うＢＷＡシステムは、多様なサービス品質（Quality of Service；以下、‘ＱｏＳ’と称する）を保証することができ、従って、サービスの特性に基づいて、相互に異なる品質のサービスをユーザに提供することができる。ＩＥＥＥ８０２．１６ｄシステムにおいて、基地局（Base Station；以下、‘ＢＳ’と称する）に接続されたすべてのユーザは、共通チャンネルを共有し、これによって、各ユーザがチャンネルを使用する区間は、アップリンク及びダウンリンクフレームごとにＢＳによって割り当てられるので、ＢＳは、フレームごとに、各ユーザがチャンネルを共有して使用することができるように、アップリンク及びダウンリンク接続情報を送信しなければならない。このために、ＩＥＥＥ８０２．１６ｄシステムにおいて、チャンネルをアップリンクチャンネル及びダウンリンクチャンネルに区分して、各チャンネルに関する情報をタイプ、長さ、及び値（Type、Length、Value；ＴＬＶ）に従って定義した後に、上記定義された情報をダウンリンクチャンネルディスクリプタ（Downlink Channel Descriptor；以下、‘ＤＣＤ'と称する）及びアップリンクチャンネルディスクリプタ（Uplink Channel Descriptor；以下、‘ＵＣＤ'と称する）メッセージに挿入した後に、チャンネルに関する特性情報がＳＳに送信されるように、すべてのユーザへ送信する。
【０００６】
また、ＩＥＥＥ８０２．１６標準化グループでは、ＩＥＥＥ８０２．１６ｄ通信システムのＳＳに移動性を提供するためのＩＥＥＥ８０２．１６ｅ標準化の制定を進行中にある。ＩＥＥＥ８０２．１６ｅ標準通信システムは、従来の音声サービスのための無線技術に比べて、データの送信帯域幅が広くて、短時間に多くのデータを送信することができる。さらに、ＩＥＥＥ８０２．１６ｅ通信システムにおいて、すべてのユーザがチャンネルを共有することによって、チャンネルを効率的に使用することが可能である。また、ＩＥＥＥ８０２．１６ｅ通信システムは、多様なＱｏＳを保証することができ、従って、サービスの特性に基づいて、相互に異なる品質のサービスをユーザに提供することができる。ＩＥＥＥ８０２．１６ｅ通信システムは、ハンドオフを支援し、これによって、移動端末機（Mobile Station；以下、‘ＭＳ'と称する）の移動性を保証する。
【０００７】
ＭＳの移動性を支援するために、ＩＥＥＥ８０２．１６ｅ通信システムのＢＳは、自身が管理するセル内のすべてのＭＳに、隣接ＢＳ（Ｎｅｉｇｈｂｏｒ ＢＳ）情報を含む移動隣接基地局広告（Mobile Neighbor Advertisement；以下、‘ＭＯＢ_ＮＢＲ-ＡＤＶ'と称する）メッセージを周期的にブロードキャストして、隣接セルの状態情報をＭＳへ送信する。すなわち、１つのセル内に位置したＭＳが隣接セルへ移動する場合、ＭＳが現在位置しているセルを管理するＢＳ、すなわち、サービングＢＳ（Serving BS）によってブロードキャストされたＭＯＢ_ＮＢＲ-ＡＤＶメッセージを受信することによって、ネットワークＩＤ、チャンネル特性などのような上記隣接セルを管理するＢＳ、すなわち、隣接セルの隣接ＢＳ（Ｎｅｉｇｈｂｏｒ ＢＳ）の情報をあらかじめ獲得することができる。従って、ＩＥＥＥ８０２．１６ｅ通信システムは、ＭＳのハンドオフを支援することができる。
【０００８】
しかしながら、ＩＥＥＥ８０２．１６ｅ通信システムにおいて、サービングＢＳは、隣接セルの個数が多いか、又は、隣接セルが現在サービス中であるセルと大きく異なる収容能力を有する場合、サービングＢＳからＭＳへ送信された隣接ＢＳの情報量が増加するので、ＭＯＢ_ＮＢＲ-ＡＤＶメッセージのサイズは、大きくなる。このように、隣接ＢＳ情報量が増加する場合、１つのフレームにすべての情報を送信することができない。従って、すべての隣接ＢＳ情報、すなわち、上記すべての隣接ＢＳ情報を含むＭＯＢ_ＮＢＲ-ＡＤＶメッセージのサイズが大きくなるに従って、ＭＯＢ_ＮＢＲ-ＡＤＶメッセージは、１つのフレームでＭＳへ送信されることができない。特に、ＩＥＥＥ８０２．１６ｅ通信システムにおいて、ＢＳは、上記メッセージを送信するために、媒体接続制御（Media Access Control；以下、‘ＭＡＣ'と称する）管理メッセージを分割（Fragmentation）してＭＳへ送信することができない。
【発明の開示】
【発明が解決しようとする課題】
【０００９】
上記背景に鑑みて、本発明の目的は、ＢＷＡ通信システムにおいて、隣接ＢＳの情報をＭＳへ送信するためのブロードキャストメッセージを構成して送受信する方法及びシステムを提供することにある。
【００１０】
本発明の他の目的は、ＢＷＡ通信システムにおいて、隣接ＢＳの情報をＭＳへ送信するためのブロードキャストメッセージを分割して送受信する方法及びシステムを提供することにある。
【課題を解決するための手段】
【００１１】
上記のような目的を達成するために、本発明の第１の見地によると、広帯域無線接続通信システムにおけるサービング基地局が、隣接基地局の情報を移動端末機へ送信する方法は、上記サービング基地局に隣接した隣接基地局を探索し、上記探索された隣接基地局の情報を収集して、上記隣接基地局の情報サイズを上記隣接基地局の情報を送信するフレームのサイズと比較するステップと、上記比較の結果に従って、上記隣接基地局の情報を含む少なくとも１つのブロードキャストメッセージを構成し、上記構成されたブロードキャストメッセージに含まれる情報に従って、上記ブロードキャストメッセージのフィールドを設定するステップと、上記設定されたフィールドを含むブロードキャストメッセージをブロードキャストするステップとを具備することを特徴とする。
【００１２】
本発明の第２の見地によると、隣接基地局の情報を移動端末機へブロードキャストするサービング基地局を含む広帯域無線接続通信システムにおける上記移動端末機が、上記隣接基地局の情報を受信する方法は、上記移動端末機が上記サービング基地局から送信された第１のブロードキャストメッセージを受信するステップと、上記第１のブロードキャストメッセージに含まれた隣接基地局の情報を獲得し、上記獲得された情報に従って、上記第１のブロードキャストメッセージが分割されたブロードキャストメッセージであるか否かを判定するステップと、上記第１のブロードキャストメッセージが分割されたブロードキャストメッセージである場合に、上記サービング基地局から送信される少なくとも１つ以上の分割されたブロードキャストメッセージを受信するステップとを具備することを特徴とする。
【００１３】
本発明の第３の見地によると、隣接基地局の情報を移動端末機へブロードキャストするサービング基地局を含む広帯域無線接続通信システムにおける上記サービング基地局が、上記隣接基地局の情報を構成する方法は、上記サービング基地局に隣接した隣接基地局を探索し、上記探索された隣接基地局の情報を収集して、上記隣接基地局の情報サイズを上記隣接基地局の情報を送信するフレームのサイズと比較するステップと、上記比較の結果に対応して、上記隣接基地局の情報を含む少なくとも１つのブロードキャストメッセージを構成し、上記構成されたブロードキャストメッセージに含まれる情報に従って、上記ブロードキャストメッセージのフィールドを設定するステップとを具備することを特徴とする。
【００１４】
本発明の第４の見地によると、隣接基地局の情報を移動端末機へブロードキャストするサービング基地局を含む広帯域無線接続通信システムにおける上記サービング基地局が、上記隣接基地局の情報を送受信する方法は、上記サービング基地局に隣接した隣接基地局を探索し、上記探索された隣接基地局の情報を収集して、上記隣接基地局の情報サイズを上記隣接基地局の情報を送信するフレームのサイズと比較した後に、上記比較の結果に従って、上記隣接基地局の情報を含む少なくとも１つのブロードキャストメッセージを構成し、上記構成されたブロードキャストメッセージに含まれた情報に従って、上記ブロードキャストメッセージのフィールドを設定し、上記設定されたフィールドを含むブロードキャストメッセージをブロードキャストするステップと、上記移動端末機が、上記サービング基地局から送信されたブロードキャストメッセージを受信し、上記ブロードキャストメッセージに含まれた上記隣接基地局の情報を獲得し、上記獲得された情報から、上記ブロードキャストメッセージが分割されたブロードキャストメッセージであるか否かを判定した後に、上記判定の結果、上記ブロードキャストメッセージが上記分割されたブロードキャストメッセージである場合に、上記サービング基地局から送信される少なくとも１つ以上の分割されたブロードキャストメッセージを受信するステップとを具備することを特徴とする。
【００１５】
本発明の第５の見地によると、隣接基地局の情報を移動端末機へブロードキャストするサービング基地局を含む広帯域無線接続通信システムにおける上記サービング基地局が、上記隣接基地局の情報を送受信するシステムは、上記サービング基地局に隣接した隣接基地局を探索し、上記探索された隣接基地局の情報を収集して、上記隣接基地局の情報サイズを上記隣接基地局の情報を送信するフレームのサイズと比較した後に、上記比較の結果に従って、上記隣接基地局の情報を含む少なくとも１つのブロードキャストメッセージを構成し、上記構成されたブロードキャストメッセージに含まれた情報に従って、上記ブロードキャストメッセージのフィールドを設定し、上記設定されたフィールドを含むブロードキャストメッセージをブロードキャストする上記サービング基地局と、上記サービング基地局から送信されたブロードキャストメッセージを受信し、上記ブロードキャストメッセージに含まれた上記隣接基地局の情報を獲得し、上記獲得された情報から、上記ブロードキャストメッセージが分割されたブロードキャストメッセージであるか否かを判定した後に、上記判定の結果、上記ブロードキャストメッセージが上記分割されたブロードキャストメッセージである場合に、上記サービング基地局から送信される少なくとも１つ以上の分割されたブロードキャストメッセージを受信する上記移動端末機とを具備することを特徴とする。
【００１６】
本発明の第６の見地によると、隣接基地局の情報を移動端末機へブロードキャストするサービング基地局を含む広帯域無線接続通信システムにおける上記サービング基地局が、上記隣接基地局の情報を構成するシステムは、上記サービング基地局に隣接した隣接基地局を探索し、上記探索された隣接基地局の情報を収集して、上記隣接基地局の情報サイズを上記隣接基地局の情報を送信するフレームのサイズと比較した後に、上記比較の結果に従って、上記隣接基地局の情報を含む少なくとも１つのブロードキャストメッセージを構成し、上記構成されたブロードキャストメッセージに含まれた情報に従って、上記ブロードキャストメッセージのフィールドを設定する上記サービング基地局を具備することを特徴とする。
【発明の効果】
【００１７】
本発明の実施形態によると、ＢＷＡ通信システムにおいて、サービングＢＳが隣接ＢＳの情報を収集して、隣接ＢＳの情報を含むブロードキャストメッセージを構成すると共に、上記ブロードキャストメッセージのサイズが大きすぎる場合、ブロードキャストメッセージを分割することができる。従って、サービングＢＳは、多くの隣接ＢＳの情報を送受信することができる。その結果、本発明によるＢＷＡ通信システムは、多くの隣接ＢＳの情報をＭＳへ送信して、ＭＳが他のセルへ移動する場合、ＭＳのハンドオフを支援することができる。
【発明を実施するための最良の形態】
【００１８】
以下、本発明の好適な実施形態について添付図を参照しつつ詳細に説明する。なお、図面中、同一な構成要素及び部分には、可能な限り同一な符号及び番号を共通使用するものとする。下記説明において、本発明の要旨のみを明瞭にするために、公知の機能又は構成に対する詳細な説明は省略する。
【００１９】
本発明は、広帯域無線接続（Broadband Wireless Access；以下、‘ＢＷＡ'と称する）通信システムにおいて、移動端末機（Mobile Station；以下、‘ＭＳ'と称する）のハンドオフを支援するために、ＭＳへ現在サービスを提供する基地局（Base Station；以下、‘ＢＳ'と称する）、すなわち、サービングＢＳ（Serving BS）が、隣接ＢＳ（Neighbor BS）の情報をＭＳへ送信するためのブロードキャストメッセージ、例えば、移動隣接基地局広告（Mobile Neighbor Advertisement；以下、‘ＭＯＢ_ＮＢＲ-ＡＤＶ'と称する）メッセージを構成する方法及びシステムを提案する。また、本発明は、ＢＷＡ通信システムにおいて、隣接ＢＳの情報を含むＭＯＢ_ＮＢＲ-ＡＤＶメッセージを送受信する方法及びシステムを提案する。本発明の実施形態では、サービングＢＳがＭＳへ送信する隣接ＢＳの情報量が増加して、隣接ＢＳの情報を含むＭＯＢ_ＮＢＲ-ＡＤＶメッセージのサイズが大きくなる場合、上記大きいサイズを有するＭＯＢ_ＮＢＲ-ＡＤＶメッセージを分割（Fragmentation）してＭＳへ送信することができるように、ＭＯＢ_ＮＢＲ-ＡＤＶメッセージを構成し、また、このように構成されたＭＯＢ_ＮＢＲ-ＡＤＶメッセージを送受信する方法及びシステムを提案する。そして、本発明は、ＭＯＢ_ＮＢＲ-ＡＤＶメッセージだけでなく、ＢＳとＭＳとの間で送受信されるすべてのブロードキャストメッセージの構成及び送信に適用されることができる。
【００２０】
説明の便宜のために、下記の説明は、本発明の好ましい実施形態によるＢＷＡ通信システムが、直交周波数分割多元（Orthogonal Frequency Division Multiplexing；以下、‘ＯＦＤＭ'と称する）方式、及び直交周波数分割多元接続（Orthogonal Frequency Division Multiple Access；以下、‘ＯＦＤＭＡ'と称する）方式を使用するＩＥＥＥ８０２．１６ｅ通信システムであると仮定する。ＩＥＥＥ８０２．１６ｅ通信システムがＯＦＤＭ／ＯＦＤＭＡ方式を使用するので、複数の副搬送波（Sub-carrier）を使用して、物理チャンネル信号を送信することによって、高速のデータ送信が可能である。また、ＩＥＥＥ８０２．１６ｅ通信システムは、多重セル（Multi-cell）構成を支援してＭＳの移動性を支援する。
【００２１】
図１は、本発明の実施形態によるＢＷＡ通信システムにおいて、相互に異なる運営モードを支援するＢＳにより管理されるセル間を移動するＭＳのハンドオフを支援するＢＷＡ通信システムの構成を概略的に示す。
【００２２】
図１を参照すると、ＢＷＡ通信システムは、多重セル構造、すなわち、セル１ １０１、セル２ １０３、セル３ １０５、セル４ １０７、セル５ １０９、セル６ １１１、及びセル７ １１３を有する。また、ＢＷＡ通信システムは、ＢＳ１２１、１２３、１２５、１２７、１２９、１３１、１３３と、ＭＳ１５０とを含む。ＢＳ１２１、１２３、１２５、１２７、１２９、１３１、１３３は、セル１０１、１０３、１０５、１０７、１０９、１１１、１１３の各々を管理する。ＭＳ１５０は、セル１０１、１０３、１０５、１０７、１０９、１１１、１１３間を移動しながら、ＢＳ１２１、１２３、１２５、１２７、１２９、１３１、１３３からサービスを受信することができる。ここで、ＭＳ１５０とＢＳ１２１、１２３、１２５、１２７、１２９、１３１、１３３との間の信号送受信は、ＯＦＤＭ／ＯＦＤＭＡ方式を使用してなされる。
【００２３】
このとき、ＭＳ１５０が、ＢＳ１ １２１が管理するセル１１０１からＢＳ２ １２３が管理するセル２ １０３へ移動する場合、ＭＳ１５０へ現在サービスを提供しているＢＳ、すなわち、サービングＢＳは、ＢＳ１ １２１からＢＳ２ １２３に変更され、また、現在のサービングＢＳであるＢＳ１ １２１は、隣接セルのＢＳ情報を含むＭＯＢ_ＮＢＲ-ＡＤＶメッセージをＭＳ１５０にブロードキャストする。このようなＭＯＢ_ＮＢＲ-ＡＤＶメッセージを受信したＭＳ１５０は、ＭＯＢ_ＮＢＲ-ＡＤＶメッセージを通じて、隣接セルのＢＳ情報をあらかじめ獲得する。すると、ＭＳ１５０がＢＳ２ １２３のチャンネル情報を受信するとすぐに、ＭＳ１５０は、ＢＳ２ １２３との接続を設定する過程を開始して、ハンドオフ過程を遂行する。すなわち、現在のサービングＢＳであるＢＳ１ １２１は、セル２ １０３へ移動するＭＳ１５０に、隣接ＢＳ情報、すなわち、ＢＳ２ １２３の情報を予め送信するために、ＭＯＢ_ＮＢＲ-ＡＤＶメッセージをブロードキャストし、ＭＳ１５０は、受信されたＭＯＢ_ＮＢＲ-ＡＤＶメッセージからＢＳ２ １２３の情報を認知する。その結果、ＢＷＡ通信システムは、ＭＳ１５０のハンドオフを支援する。
【００２４】
上述したような構成を有するＢＷＡ通信システムにおいて、サービングＢＳが隣接ＢＳの情報をＭＳへ送信するために、サービングＢＳは、上記隣接ＢＳの情報をＭＯＢ_ＮＢＲ-ＡＤＶメッセージに挿入する。下記＜表１＞は、ＭＯＢ_ＮＢＲ-ＡＤＶメッセージのフォーマットを示す。
【００２５】
【表１】
2008506301.tif 000003
【００２６】
＜表１＞に示すように、ＭＯＢ_ＮＢＲ-ＡＤＶメッセージは、複数のＩＥ、すなわち、送受信されるメッセージのタイプを示す８ビットの‘Ｍａｎａｇｅｍｅｎｔ  Ｍｅｓｓａｇｅ  Ｔｙｐｅ（Ｍａｎａｇｅｍｅｎｔ  Ｍｅｓｓａｇｅ  Ｔｙｐｅ＝４９）’フィールドと、運営者の区分のために割り当てられ、一連のＢＳが共有することができる運営者の識別子（ＩＤ；Identifier）を示す２４ビットの‘Ｏｐｅｒａｔｏｒ ＩＤ’フィールドと、隣接ＢＳの個数を示す８ビットの‘Ｎ_ＮＥＩＧＨＢＯＲＳ’フィールドと、２１ビットの‘ＨＭＡＣ Ｔｕｐｌｅ’フィールドと、すべての隣接ＢＳの情報とを含む。また、ＭＯＢ_ＮＢＲ-ＡＤＶメッセージは、隣接ＢＳの‘Ｎｅｉｇｈｂｏｒ Ｓｅｔ’を示し、各４ビットを有する‘Ｆｒａｇｍｅｎｔａｔｉｏｎ Ｉｎｄｅｘ’フィールドと、‘Ｔｏｔａｌ Ｆｒａｇｍｅｎｔａｉｏｎ’フィールドとを含む。
【００２７】
すなわち、上記隣接ＢＳの‘Ｎｅｉｇｈｂｏｒ Ｓｅｔ’フィールドは、分割されたすべてのＭＯＢ_ＮＢＲ-ＡＤＶメッセージのうち、現在のフレームで送信される現在の分割されたＭＯＢ_ＮＢＲ-ＡＤＶメッセージのインデックスを示す４ビットの‘Ｆｒａｇｍｅｎｔａｔｉｏｎ Ｉｎｄｅｘ’フィールドと、分割された総ＭＯＢ_ＮＢＲ-ＡＤＶメッセージの個数であって、ＭＯＢ_ＮＢＲ-ＡＤＶメッセージが、いくつのＭＯＢ_ＮＢＲ-ＡＤＶメッセージに分割されたかを示す４ビットの‘Ｔｏｔａｌ Ｆｒａｇｍｅｎｔａｉｏｎ’フィールドとに区分される。
【００２８】
図２は、上述したような新たに付加された分割情報、すなわち、現在送信される分割されたＭＯＢ_ＮＢＲ-ＡＤＶメッセージのインデックスを示す‘Ｆｒａｇｍｅｎｔａｔｉｏｎ Ｉｎｄｅｘ’フィールドと、分割された総ＭＯＢ_ＮＢＲ-ＡＤＶメッセージの個数を示す‘Ｔｏｔａｌ Ｆｒａｇｍｅｎｔａｉｏｎ’フィールドとを含むＭＯＢ_ＮＢＲ-ＡＤＶメッセージのフォーマットを示す。
【００２９】
図２を参照すると、隣接ＢＳの情報量が増加するに従って、ＭＯＢ_ＮＢＲ-ＡＤＶメッセージのサイズが大きくなって、サービングＢＳがＭＯＢ_ＮＢＲ-ＡＤＶメッセージを１つのフレームでＭＳへ送信することができない場合、サービングＢＳは、ＭＯＢ_ＮＢＲ-ＡＤＶメッセージを１つのフレームで送信されることができるサイズを有する分割されたＭＯＢ_ＮＢＲ-ＡＤＶメッセージに分割し、上記分割されたＭＯＢ_ＮＢＲ-ＡＤＶメッセージの総個数を‘Ｔｏｔａｌ Ｆｒａｇｍｅｎｔａｉｏｎ’フィールドに挿入し、現在のフレームで送信される分割されたＭＯＢ_ＮＢＲ-ＡＤＶメッセージのインデックスを‘Ｆｒａｇｍｅｎｔａｔｉｏｎ Ｉｎｄｅｘ’フィールドに挿入した後に、情報が挿入されたメッセージを送信する。上記分割されたＭＯＢ_ＮＢＲ-ＡＤＶメッセージが１つ以上である場合、サービングＢＳは、上記分割されたＭＯＢ_ＮＢＲ-ＡＤＶメッセージの総個数に対応する分割されたＭＯＢ_ＮＢＲ-ＡＤＶメッセージを該当フレームを通して順次にＭＳへ送信する。ここで、‘Ｆｒａｇｍｅｎｔａｔｉｏｎ Ｉｎｄｅｘ’フィールドが現在のフレームで送信される、分割されたＭＯＢ_ＮＢＲ-ＡＤＶメッセージに含まれた隣接ＢＳのインデックスを示すことによって、ＭＳは、分割された他のＭＯＢ_ＮＢＲ-ＡＤＶメッセージと現在のフレームで送信される分割されたＭＯＢ_ＮＢＲ-ＡＤＶメッセージを区分する。また、‘Ｔｏｔａｌ Ｆｒａｇｍｅｎｔａｉｏｎ’フィールドは、ＭＳへ送信される分割されたＭＯＢ_ＮＢＲ-ＡＤＶメッセージの総個数を示すことによって、ＭＳは、現在のフレームの後に、他のフレームで送信されるＭＯＢ_ＮＢＲ-ＡＤＶメッセージが存在するか否かを判定する。すなわち、ＭＳは、‘Ｔｏｔａｌ Ｆｒａｇｍｅｎｔａｉｏｎ’フィールドを通して、全体のＭＯＢ_ＮＢＲ-ＡＤＶメッセージを送信するためのフレームの個数を認知することができ、該当フレームの個数を通して送信される分割されたすべてのＭＯＢ_ＮＢＲ-ＡＤＶメッセージを受信することができ、これによって、すべての隣接ＢＳの情報を獲得する。
【００３０】
そして、‘Ｎ_ＮＥＩＧＨＢＯＲＳ’フィールドは、上記隣接ＢＳの識別子を示す４８ビットの‘Ｎｅｉｇｈｂｏｒ ＢＳ ＩＤ’フィールドと、上記隣接ＢＳのダウンリンク（Downlink）物理チャンネル周波数を示す３２ビットの‘ＰＨＹ Ｐｒｏｆｉｌｅ ＩＤ’フィールドと、ＭＯＢ_ＮＢＲ-ＡＤＶメッセージ構成のための変更カウントを示す８ビットの‘Ｃｏｎｆｉｇｕｒａｔｉｏｎ Ｃｈａｎｇｅ Ｃｏｕｎｔ’フィールドと、上記隣接ＢＳのＴＬＶ（Ｔｙｐｅ、Ｌｅｎｇｔｈ、Ｖａｌｕｅ）符号化された情報を示す可変ビットの‘ＴＬＶ Ｅｎｃｏｄｅｄ Ｎｅｉｇｈｂｏｒ ｉｎｆｏｒｍａｔｉｏｎ’フィールドとを含む。
【００３１】
本発明の実施形態によるＢＷＡ通信システムにおいて、ＭＳは、サービングＢＳから上述したようなフィールドを含むＭＯＢ_ＮＢＲ-ＡＤＶメッセージを受信することによって、隣接ＢＳの情報を獲得することができ、隣接ＢＳの情報を獲得した状態であるＭＳが他のセルへ移動する場合、ＭＳは、上記移動するセルを管理するＢＳの情報を予め獲得することができるので、ハンドオフを容易に実行することができる。また、ＢＷＡ通信システムにおいて、ＭＯＢ_ＮＢＲ-ＡＤＶメッセージは、‘Ｆｒａｇｍｅｎｔａｔｉｏｎ Ｉｎｄｅｘ’フィールド及び‘Ｔｏｔａｌ Ｆｒａｇｍｅｎｔａｉｏｎ’フィールドを含む。従って、ＭＯＢ_ＮＢＲ-ＡＤＶメッセージのサイズが大きくて１つのフレームでＭＳへ送信されることができない場合、ＭＯＢ_ＮＢＲ-ＡＤＶメッセージが１つのフレームで送信可能なサイズを有するように分割されて、１つ以上のフレームを通して、ＭＯＢ_ＮＢＲ-ＡＤＶメッセージをＭＳへ送信されることができる。すなわち、本発明によると、隣接ＢＳの情報量が増加するに従って、ＭＯＢ_ＮＢＲ-ＡＤＶメッセージのサイズが大きくなっても、ＭＯＢ_ＮＢＲ-ＡＤＶメッセージを分割してＭＳへ送信することが可能であり、ＭＳは、分割されたＭＯＢ＿ＮＢＲ ＡＤＶメッセージを受信することによって、隣接ＢＳの情報を予め獲得することができる。
【００３２】
＜表２＞は、本発明の他の実施形態によるＢＷＡ通信システムにおいて、サービングＢＳからＭＳへ送信される隣接ＢＳの情報を含むＭＯＢ_ＮＢＲ-ＡＤＶメッセージのフォーマットを示す。
【００３３】
【表２】
2008506301.tif 000004
【００３４】
＜表２＞に示すように、ＭＯＢ_ＮＢＲ-ＡＤＶメッセージは、複数のＩＥ、すなわち、送受信されるメッセージのタイプを示す８ビットの‘Ｍａｎａｇｅｍｅｎｔ  Ｍｅｓｓａｇｅ  Ｔｙｐｅ（Ｍａｎａｇｅｍｅｎｔ  Ｍｅｓｓａｇｅ  Ｔｙｐｅ＝４９）’フィールドと、運営者の区分のために割り当てられ、一連のＢＳが共有することができる運営者の識別子（ＩＤ；Identifier）を示す２４ビットの‘Ｏｐｅｒａｔｏｒ ＩＤ’フィールドと、ＭＯＢ_ＮＢＲ-ＡＤＶメッセージの構成のための変更カウントを示す８ビットの‘Ｃｏｎｆｉｇｕｒａｔｉｏｎ Ｃｈａｎｇｅ Ｃｏｕｎｔ’フィールドと、ＢＳの物理階層情報を示し、Ｃｏ-ｌｏｃａｔｅｄ ＦＡ ｉｎｄｉｃａｔｏｒ ｂｉｔ、ＦＡ Ｃｏｎｆｉｇｕｒａｔｉｏｎ ｉｎｄｉｃａｔｏｒ ｂｉｔ、Ｔｉｍｅ／Ｆｒｅｑｕｅｎｃｙ Ｓｙｎｃｈｒｏｎｉｚａｔｉｏｎ Ｉｎｄｉｃａｔｏｒ、ＢＳ ＥＩＲＰ Ｉｎｄｉｃａｔｏｒ、ＤＣＤ／ＵＣＤ Ｒｅｆｅｒｅｎｃｅ Ｉｎｄｉｃａｔｏｒ、ＦＡ Ｉｎｄｅｘ Ｉｎｄｉｃａｔｏｒ、及びＦＡ ｎｕｍｂｅｒ情報を有する‘ＰＨＹ Ｐｒｏｆｉｌｅ ＩＤ’フィールドとを含む。
【００３５】
上述したような構成を有するＭＯＢ_ＮＢＲ-ＡＤＶメッセージは、隣接ＢＳの情報量が増加することによって、ＭＯＢ_ＮＢＲ-ＡＤＶメッセージのサイズが大きくなり、１つのフレームでＭＯＢ_ＮＢＲ-ＡＤＶメッセージを送信することができない場合、すなわち、すべての隣接ＢＳの情報を１つのフレームで送信することができない場合、サービングＢＳは、ＭＯＢ_ＮＢＲ-ＡＤＶメッセージを１つのフレームで送信されることができるサイズを有する分割されたＭＯＢ_ＮＢＲ-ＡＤＶメッセージに分割して、ＭＳへ送信することができる。また、ＭＯＢ_ＮＢＲ-ＡＤＶメッセージを分割してＭＳへ送信する場合、送信されるＭＯＢ_ＮＢＲ-ＡＤＶメッセージには、ＭＯＢ_ＮＢＲ-ＡＤＶメッセージが分割されたことを示さなければならない。また、ＭＳが分割されたことを示すＭＯＢ_ＮＢＲ-ＡＤＶメッセージを受信すると、ＭＳは、１つのフレームのすぐ次のフレームで送信される残りの分割されたＭＯＢ_ＮＢＲ-ＡＤＶメッセージをすべて受信することによって、すべての隣接ＢＳの情報を受信することができる。
【００３６】
このように、ＭＯＢ_ＮＢＲ-ＡＤＶメッセージが分割されたことを示すために、ＭＯＢ_ＮＢＲ-ＡＤＶメッセージは、次のフィールドを含む必要がある。すなわち、ＭＯＢ_ＮＢＲ-ＡＤＶメッセージは、分割モードを示す１ビットの‘Ｆｒａｇｍｅｎｔａｔｉｏｎ Ｍｏｄｅ’フィールドと、全体の隣接ＢＳの個数を示す７ビットの‘ＴＯＴ_Ｎ_ＮＥＩＧＨＢＯＲＳ’フィールドと、分割されたＭＯＢ_ＮＢＲ-ＡＤＶメッセージの開始ビットを示す１ビットの‘Ｓｔａｒｔ ｂｉｔ’フィールドと、上記分割されたＭＯＢ_ＮＢＲ-ＡＤＶメッセージが１つのフレームで送信された後、すぐ次のフレームで送信される残りの分割されたＭＯＢ_ＮＢＲ-ＡＤＶメッセージの個数を示す６ビットの‘Ｎｕｍｂｅｒ ｏｆ Ｒｅｍａｉｎｇｉｎｇ Ｆｒａｇｍｅｎｔｓ’フィールドとを含む。
【００３７】
上述したようなフィールドによって、ＭＯＢ_ＮＢＲ-ＡＤＶメッセージは、２種類の分割モードに従って分割され得ることが分かる。ＭＯＢ_ＮＢＲ-ＡＤＶメッセージの‘Ｆｒａｇｍｅｎｔａｔｉｏｎ Ｍｏｄｅ’フィールドは、ＭＯＢ_ＮＢＲ-ＡＤＶメッセージの分割をどんな方式にて表示するかを示す。ＭＯＢ_ＮＢＲ-ＡＤＶメッセージの分割が全体の隣接ＢＳの個数、すなわち、隣接ＢＳの情報量で示される場合、‘ＴＯＴ_Ｎ_ＮＥＩＧＨＢＯＲＳ’フィールドで表現され、‘Ｆｒａｇｍｅｎｔａｔｉｏｎ Ｍｏｄｅ’フィールドは、‘１’に設定される。また、ＭＯＢ_ＮＢＲ-ＡＤＶメッセージの分割が、分割されたＭＯＢ_ＮＢＲ-ＡＤＶメッセージの個数で表現されると、‘Ｆｒａｇｍｅｎｔａｔｉｏｎ Ｍｏｄｅ’フィールドは、‘０’に設定される。
【００３８】
‘Ｆｒａｇｍｅｎｔａｔｉｏｎ Ｍｏｄｅ’フィールドが‘１’に設定された場合、‘ＴＯＴ_Ｎ_ＮＥＩＧＨＢＯＲＳ’フィールドは、サービングＢＳがＭＯＢ_ＮＢＲ-ＡＤＶメッセージをブロードキャストする全体の隣接ＢＳの個数を示し、８ビットの‘Ｎ_ＮＥＩＧＨＢＯＲＳ’フィールドは、上記分割されたＭＯＢ_ＮＢＲ-ＡＤＶメッセージを通じてＢＳ情報が送信される隣接ＢＳの個数であって、上記隣接ＢＳの情報量を示す。分割されたＭＯＢ_ＮＢＲ-ＡＤＶメッセージの‘Ｎ_ＮＥＩＧＨＢＯＲＳ’フィールドを通して送信された隣接ＢＳの個数、すなわち隣接ＢＳの情報量が、‘ＴＯＴ_Ｎ_ＮＥＩＧＨＢＯＲＳ’フィールドを通して送信される全体の隣接ＢＳの個数、すなわち全体の隣接ＢＳの情報より小さい場合、ＭＳは、ＭＳへ送信されない隣接ＢＳの情報が存在するので、残りの隣接ＢＳの情報を得るために、分割されたＭＯＢ_ＮＢＲ-ＡＤＶメッセージを継続して受信しなければならない。
【００３９】
一方、‘Ｆｒａｇｍｅｎｔａｔｉｏｎ Ｍｏｄｅ’フィールドが‘０’に設定された場合、分割されたＭＯＢ_ＮＢＲ-ＡＤＶメッセージの区分が必要である。従って、‘Ｓｔａｒｔ ｂｉｔ’フィールドは、最初に分割されたＭＯＢ_ＮＢＲ-ＡＤＶメッセージの送信を示し、上記最初に分割されたＭＯＢ_ＮＢＲ-ＡＤＶメッセージを送信すると、‘Ｓｔａｒｔ ｂｉｔ’フィールドは、‘１’に設定される。すなわち、‘Ｓｔａｒｔ ｂｉｔ’フィールドは、残りの分割されたＭＯＢ_ＮＢＲ-ＡＤＶメッセージの伝送時には、‘０’に設定される。このとき、‘Ｎｕｍｂｅｒ ｏｆ Ｒｅｍａｉｎｉｎｇ Ｆｒａｇｍｅｎｔｓ’フィールドは、ＭＳが受信しなければならない残りの分割されたＭＯＢ_ＮＢＲ-ＡＤＶメッセージの個数を示す。
【００４０】
また、ＭＯＢ−ＮＢＲ−ＡＤＶメッセージは、隣接ＢＳのＴＬＶ符号化された情報を示す可変ビットの‘ＴＬＶ Ｅｎｃｏｄｅｄ Ｎｅｉｇｈｂｏｒ ｉｎｆｏｒｍａｔｉｏｎ’フィールドと、ＭＯＢ_ＮＢＲ-ＡＤＶメッセージの構成のためのダウンリンクチャンネルディスクリプタ（Downlink Channel Descriptor；以下、‘ＤＣＤ’と称する）変更カウントを示す‘ＤＣＤ Ｃｏｎｆｉｇｕｒａｔｉｏｎ Ｃｈａｎｇｅ Ｃｏｕｎｔ’フィールドと、ＭＯＢ_ＮＢＲ-ＡＤＶメッセージの構成のためのアップリンクチャンネルディスクリプタ（Uplink Channel Descriptor；以下、‘ＵＣＤ’と称する）変更カウントを示すＵＣＤ Ｃｏｎｆｉｇｕｒａｔｉｏｎ Ｃｈａｎｇｅ Ｃｏｕｎｔ’フィールドと、‘Ｎ_ＮＥＩＧＨＢＯＲ’フィールドに含まれた隣接ＢＳの情報の長さを示す８ビットの‘Ｌｅｎｇｔｈ’フィールドと、隣接ＢＳの識別子を示す４８ビットの‘Ｎｅｉｇｈｂｏｒ ＢＳ-ＩＤ’フィールドと、プリアンブルインデックスを示す８ビットの‘Ｐｒｅａｍｂｌｅ Ｉｎｄｅｘ’フィールドと、ハンドオフ過程の最適化を示す８ビットの‘ＨＯ Ｐｒｏｃｅｓｓ Ｏｐｔｉｍｉｚａｔｉｏｎ’フィールドとを含む。
【００４１】
以下、上述したように、新たに定義されたＭＯＢ_ＮＢＲ-ＡＤＶメッセージの構成を通じて、隣接ＢＳ情報を含むＭＯＢ_ＮＢＲ-ＡＤＶメッセージが、１つのフレームで送信可能なサイズを有するように分割される方法について説明する。
【００４２】
図３は、本発明の実施形態に従って、ＭＯＢ_ＮＢＲ-ＡＤＶメッセージを、１つのフレームで送信可能なサイズを有するＭＯＢ_ＮＢＲ-ＡＤＶメッセージに分割する方法を示す。
【００４３】
図３を参照すると、サービングＢＳが多くの隣接ＢＳ及び多くの隣接ＢＳの情報量を有している場合、従来のＭＯＢ_ＮＢＲ-ＡＤＶメッセージ３１０は、定められた１つのフレーム３０９のサイズを超過するサイズを有する。このように、従来のＭＯＢ_ＮＢＲ-ＡＤＶメッセージ３１０が、１つのフレーム３０９のサイズを超過するサイズを有する場合、１つのフレーム３０９で従来のＭＯＢ_ＮＢＲ-ＡＤＶメッセージ３１０を送信することができない。
【００４４】
しかしながら、上述したような本発明では、従来のＭＯＢ_ＮＢＲ-ＡＤＶメッセージ３１０を、第１のＭＯＢ_ＮＢＲ-ＡＤＶメッセージ３２０と第２のＭＯＢ_ＮＢＲ-ＡＤＶメッセージ３３０とに分割する。ここで、従来のＭＯＢ_ＮＢＲ-ＡＤＶメッセージ３１０は、メッセージのタイプを示す‘Ｍａｎａｇｅｍｅｎｔ Ｍｅｓｓａｇｅ Ｔｙｐｅ’フィールド３０１と、運営者の識別子を示す‘Ｏｐｅｒａｔｏｒ ＩＤ’フィールド３０３と、１つのフレーム３０９で送信される隣接ＢＳの総個数を示す‘Ｎ_ＮＥＩＧＨＢＯＲＳ’フィールドを含むと共に上記隣接ＢＳの情報を示すフィールド３０５と、‘ＨＭＡＣ Ｔｕｐｌｅ’フィールド３０７とを含む。説明の便宜のために、従来のＭＯＢ_ＮＢＲ-ＡＤＶメッセージ３１０の‘Ｎ_ＮＥＩＧＨＢＯＲＳ’フィールドに含まれる隣接ＢＳの個数が２４個であると仮定し、‘Ｎ_ＮＥＩＧＨＢＯＲＳ’フィールドとを含むと共に隣接ＢＳの情報を示すフィールド３０５が２４個の隣接ＢＳの情報を含むと仮定する。
【００４５】
本発明によると、従来のＭＯＢ_ＮＢＲ-ＡＤＶメッセージ３１０が、１つのフレーム３２７のサイズを超過しないサイズを有するように分割され、例えば、第１のＭＯＢ_ＮＢＲ-ＡＤＶメッセージ３２０及び第２のＭＯＢ_ＮＢＲ-ＡＤＶメッセージ３３０に分割される。上記分割されたメッセージのうちの１つである第１のＭＯＢ_ＮＢＲ-ＡＤＶメッセージ３２０は、従来のＭＯＢ_ＮＢＲ-ＡＤＶメッセージ３１０に含まれたものと同一のメッセージタイプを示す‘Ｍａｎａｇｅｍｅｎｔ Ｍｅｓｓａｇｅ Ｔｙｐｅ’フィールド３０１と、運営者の識別子を示す‘Ｏｐｅｒａｔｏｒ ＩＤ’フィールド３０３と、‘ＨＭＡＣ Ｔｕｐｌｅ’フィールド３０７とを含む。
【００４６】
また、第１のＭＯＢ_ＮＢＲ-ＡＤＶメッセージ３２０は、‘Ｆｒａｇｍｅｎｔａｔｉｏｎ Ｉｎｄｅｘ’フィールド３２１と、‘Ｔｏｔａｌ Ｆｒａｇｍｅｎｔａｉｏｎ’フィールド３２３と、第１のＭＯＢ_ＮＢＲ-ＡＤＶメッセージ３２０に含まれた隣接ＢＳの総個数を示す‘Ｎ_ＮＥＩＧＨＢＯＲＳフィールド’を含むと共に隣接ＢＳの情報を示すフィールド３２５とを含む。‘Ｆｒａｇｍｅｎｔａｔｉｏｎ Ｉｎｄｅｘ’フィールド３２１は、現在のフレーム３２７で送信される第１のＭＯＢ_ＮＢＲ-ＡＤＶメッセージ３２０のインデックス、すなわち分割された第１のＭＯＢ_ＮＢＲ-ＡＤＶメッセージ３２０及び第２のＭＯＢ_ＮＢＲ-ＡＤＶメッセージ３３０のうち、現在のフレーム３２７で送信されるＭＯＢ_ＮＢＲ-ＡＤＶメッセージが、第１のＭＯＢ_ＮＢＲ-ＡＤＶメッセージ３２０であることを示す。‘Ｔｏｔａｌ Ｆｒａｇｍｅｎｔａｉｏｎ’フィールド３２３は、従来のＭＯＢ_ＮＢＲ-ＡＤＶメッセージ３１０から分割されたＭＯＢ_ＮＢＲ-ＡＤＶメッセージの総個数を示す（図３では、第１のＭＯＢ_ＮＢＲ-ＡＤＶメッセージ３２０及び第２のＭＯＢ_ＮＢＲ-ＡＤＶメッセージ３３０が分割されたすべてのＭＯＢ_ＮＢＲ-ＡＤＶメッセージであるので、‘Ｔｏｔａｌ Ｆｒａｇｍｅｎｔａｉｏｎ’フィールド３２３は、‘２’に設定される。）。ここで、第１のＭＯＢ_ＮＢＲ-ＡＤＶメッセージ３２０が現在のフレーム３２７のサイズを超過しないサイズを有するように、第１のＭＯＢ_ＮＢＲ-ＡＤＶメッセージ３２０の‘Ｎ_ＮＥＩＧＨＢＯＲＳ’フィールドが１６個のＢＳを含むと仮定する。従って、‘Ｎ_ＮＥＩＧＨＢＯＲＳ’フィールドを含むと共に隣接ＢＳの情報を示すフィールド３２５は、１６個の隣接ＢＳ情報を含む。
【００４７】
そして、第２のＭＯＢ_ＮＢＲ-ＡＤＶメッセージ３３０は、第１のＭＯＢ_ＮＢＲ-ＡＤＶメッセージ３２０が、現在のフレーム３２７を通してＭＳへ送信された後、すぐ次のフレーム３３７を通してＭＳへ送信される。第２のＭＯＢ_ＮＢＲ-ＡＤＶメッセージ３３０は、第１のＭＯＢ_ＮＢＲ-ＡＤＶメッセージ３２０と同一の‘Ｍａｎａｇｅｍｅｎｔ Ｍｅｓｓａｇｅ Ｔｙｐｅ’フィールド３０１と、運営者の識別子を示す‘Ｏｐｅｒａｔｏｒ ＩＤ’フィールド３０３と、‘ＨＭＡＣ Ｔｕｐｌｅ’フィールド３０７とを含む。また、第２のＭＯＢ_ＮＢＲ-ＡＤＶメッセージ３３０は、次のフレーム３３７で送信される第２のＭＯＢ_ＮＢＲ-ＡＤＶメッセージ３３０のインデックス、すなわち、分割された第１のＭＯＢ_ＮＢＲ-ＡＤＶメッセージ３２０及び第２のＭＯＢ_ＮＢＲ-ＡＤＶメッセージ３３０のうち、次のフレーム３３７で送信されるＭＯＢ_ＮＢＲ-ＡＤＶメッセージが第２のＭＯＢ_ＮＢＲ-ＡＤＶメッセージ３３０であることを示す‘Ｆｒａｇｍｅｎｔａｔｉｏｎ Ｉｎｄｅｘ’フィールド３３１を含む。
【００４８】
第１のＭＯＢ_ＮＢＲ-ＡＤＶメッセージ３２０のように、第２のＭＯＢ_ＮＢＲ-ＡＤＶメッセージ３３０は、‘Ｔｏｔａｌ Ｆｒａｇｍｅｎｔａｉｏｎ’フィールド３３３と、隣接ＢＳの情報を示し、第２のＭＯＢ_ＮＢＲ-ＡＤＶメッセージ３３０に含まれた隣接ＢＳの総個数を示す‘Ｎ_ＮＥＩＧＨＢＯＲＳ’フィールドを含むフィールド３３５とを含む。‘Ｔｏｔａｌ Ｆｒａｇｍｅｎｔａｉｏｎ’フィールド３３３は、従来のＭＯＢ_ＮＢＲ-ＡＤＶメッセージ３１０から分割されたＭＯＢ_ＮＢＲ-ＡＤＶメッセージの総個数を示す（図３では、第１のＭＯＢ_ＮＢＲ-ＡＤＶメッセージ３２０及び第２のＭＯＢ_ＮＢＲ-ＡＤＶメッセージ３３０が、分割されたすべてのＭＯＢ_ＮＢＲ-ＡＤＶメッセージであるので、‘Ｔｏｔａｌ Ｆｒａｇｍｅｎｔａｉｏｎ’フィールド３３３は、‘２’に設定される。）。ここで、第１のＭＯＢ_ＮＢＲ-ＡＤＶメッセージ３２０が現在のフレーム３２７のサイズを超過しないサイズを有するように、第１のＭＯＢ_ＮＢＲ-ＡＤＶメッセージ３２０の‘Ｎ_ＮＥＩＧＨＢＯＲＳ’フィールドが１６個のＢＳを含み、１６個の隣接ＢＳの情報は、第１のＭＯＢ_ＮＢＲ-ＡＤＶメッセージ３２０によってＭＳへすでに送信されたと仮定する。その結果、次のフレーム３３７を通してＭＳへ送信される第２のＭＯＢ_ＮＢＲ-ＡＤＶメッセージ３３０の‘Ｎ_ＮＥＩＧＨＢＯＲＳ’フィールドは、第１のＭＯＢ_ＮＢＲ-ＡＤＶメッセージ３２０の伝送後に残っている８個のＢＳを含み、隣接ＢＳの情報を示すと共に‘Ｎ_ＮＥＩＧＨＢＯＲＳ’フィールドを含むフィールド３３５は、８個の隣接ＢＳの情報を含む。
【００４９】
以上では、第１のＭＯＢ_ＮＢＲ-ＡＤＶメッセージ３２０が現在のフレーム３２７のサイズを超過しないサイズを有するように、１６個の隣接ＢＳの情報を含むと仮定したが、第１のＭＯＢ_ＮＢＲ-ＡＤＶメッセージ３２０は、フレームのサイズ及び隣接ＢＳの情報量に従って、第１のＭＯＢ_ＮＢＲ-ＡＤＶメッセージ３２０に含まれる隣接ＢＳの個数を可変することができ、それに従って、第２のＭＯＢ_ＮＢＲ-ＡＤＶメッセージ３３０に含まれる隣接ＢＳの個数も可変することができる。また、本発明によると、第２のＭＯＢ_ＮＢＲ-ＡＤＶメッセージ３３０が次のフレーム３３７のサイズよりさらに大きいサイズを有する場合、従来のＭＯＢ_ＮＢＲ-ＡＤＶメッセージ３１０は、３個のＭＯＢ_ＮＢＲ-ＡＤＶメッセージ、又は、それ以上のＭＯＢ_ＮＢＲ-ＡＤＶメッセージに分割され、分割されたＭＯＢ_ＮＢＲ-ＡＤＶメッセージは、分割されたＭＯＢ_ＮＢＲ-ＡＤＶメッセージの個数に対応する個数のフレームを通してＭＳへ送信される。
【００５０】
この場合、分割されたＭＯＢ_ＮＢＲ-ＡＤＶメッセージの各々は、上述したようなフィールドを含む。サービングＢＳがＭＯＢ_ＮＢＲ-ＡＤＶメッセージを分割する場合、上記分割されたＭＯＢ_ＮＢＲ-ＡＤＶメッセージが１つのフレームのサイズより大きくないサイズを有するように、すなわち‘Ｎ_ＮＥＩＧＨＢＯＲＳ’フィールドを含むと共に隣接ＢＳの情報を示すフィールドに含まれる隣接ＢＳの個数が、１つのフレームで送信可能なＢＳの個数を超過しないように、１つのフレームのサイズに基づいて分割する。また、分割されたＭＯＢ_ＮＢＲ-ＡＤＶメッセージの各々は、同一の値を有する‘Ｍａｎａｇｅｍｅｎｔ Ｍｅｓｓａｇｅ Ｔｙｐｅ’フィールドと、運営者の識別子を示す‘Ｏｐｅｒａｔｏｒ ＩＤ’フィールドと、‘ＨＭＡＣ Ｔｕｐｌｅ’フィールドとを共通に含む。
【００５１】
そして、サービングＢＳは、分割されたＭＯＢ_ＮＢＲ-ＡＤＶメッセージの個数を‘Ｔｏｔａｌ Ｆｒａｇｍｅｎｔａｉｏｎ’フィールドに挿入し、現在のフレームで送信される分割されたＭＯＢ_ＮＢＲ-ＡＤＶメッセージのインデックスを‘Ｆｒａｇｍｅｎｔａｔｉｏｎ Ｉｎｄｅｘ’フィールドに挿入し、隣接ＢＳの情報を該当フィールドに挿入した後に、分割された現在のＭＯＢ_ＮＢＲ-ＡＤＶメッセージをＭＳへ送信する。
【００５２】
これに従って、上記サービングＢＳは、ＭＯＢ_ＮＢＲ-ＡＤＶメッセージを１つのフレームのサイズ以内になるように分割した後、分割されたＭＯＢ_ＮＢＲ-ＡＤＶメッセージを、上記分割されたＭＯＢ_ＮＢＲ-ＡＤＶメッセージの個数に対応する個数のフレームを通してＭＳへ送信する。
【００５３】
以上では、サービングＢＳが隣接ＢＳの情報をＭＳへ通知するために、ＭＯＢ_ＮＢＲ-ＡＤＶメッセージをブロードキャストする場合について説明したが、本発明は、ＭＯＢ_ＮＢＲ-ＡＤＶメッセージだけでなく、サービングＢＳからＭＳへ送信されるブロードキャストメッセージの構成及び送受信にも適用されることができる。以下、隣接ＢＳの情報を含むブロードキャストメッセージを構成して送信するためのサービングＢＳの動作について説明する。
【００５４】
図４は、本発明の実施形態による隣接ＢＳの情報を含むブロードキャストメッセージを構成して送信するサービングＢＳの動作過程を示すフローチャートである。
【００５５】
図４を参照すると、ステップＳ４０１で、サービングＢＳは、ＭＳへ送信される隣接ＢＳの情報を検索して収集した後、ステップＳ４０３で、上記収集された隣接ＢＳの情報をＭＳへ送信するフレームのサイズと比較する。このとき、上記収集された隣接ＢＳの情報が１つのフレームのサイズより大きくない場合、上記サービングＢＳは、ステップＳ４０９へ進行して、上記収集された隣接ＢＳの情報を含むブロードキャストメッセージを構成した後、上記構成されたブロードキャストメッセージを１つのフレームを通してＭＳへ送信する。このように、１つのフレームを通してブロードキャストメッセージを受信したＭＳは、上記ブロードキャストメッセージに含まれた隣接ＢＳの情報を獲得する。従って、ＢＷＡシステムは、ＭＳのハンドオフを支援する。
【００５６】
ステップＳ４０３で、判断の結果、上記収集された隣接ＢＳの情報が１つのフレームのサイズより大きいサイズを有する場合、上記サービングＢＳは、ステップＳ４０５へ進行して、上記収集された情報を含むブロードキャストメッセージを、フレームのサイズより大きくないサイズをそれぞれ有する分割されたブロードキャストメッセージに分割する。
【００５７】
次に、ステップＳ４０７で、サービングＢＳは、上記分割されたブロードキャストメッセージを構成するフィールドを設定する。例えば、ステップＳ４０５で、上記ブロードキャストメッセージが２つのＭＯＢ_ＮＢＲ-ＡＤＶメッセージに分割されると、上記分割された２つのブロードキャストメッセージであるＭＯＢ_ＮＢＲ-ＡＤＶメッセージの‘Ｔｏｔａｌ Ｆｒａｇｍｅｎｔａｉｏｎ’フィールド、すなわち分割されたＭＯＢ_ＮＢＲ-ＡＤＶメッセージの総個数を示す＜表１＞に示すような‘Ｔｏｔａｌ Ｆｒａｇｍｅｎｔａｉｏｎ’フィールドは、同一の二進値‘００１０’を有するように設定される。また、上記分割された２つのＭＯＢ_ＮＢＲ-ＡＤＶメッセージのうち、最初のフレームで送信される分割された第１のＭＯＢ_ＮＢＲ-ＡＤＶメッセージの‘Ｆｒａｇｍｅｎｔａｔｉｏｎ Ｉｎｄｅｘ’フィールド、すなわち、上記最初のフレームで送信される分割された第１のＭＯＢ_ＮＢＲ-ＡＤＶメッセージのインデックスを示す‘Ｆｒａｇｍｅｎｔａｔｉｏｎ Ｉｎｄｅｘ’フィールドは、‘０００１’の値を有するように設定され、上記最初のフレームの次のフレーム、すなわち、２番目のフレームで送信される分割された第２のＭＯＢ_ＮＢＲ-ＡＤＶメッセージの‘Ｆｒａｇｍｅｎｔａｔｉｏｎ Ｉｎｄｅｘ’フィールドは、‘００１０’の値を有するように設定される。すると、ステップＳ４０９で、サービングＢＳは、フィールドが設定されたブロードキャストメッセージを該当フレームを通してＭＳへ送信する。このとき、上記ブロードキャストメッセージが２つの分割されたブロードキャストメッセージに分割される場合、サービングＢＳは、２つのフレームで２つの分割されたブロードキャストメッセージをＭＳへ順次に送信する。
【００５８】
このように、ＭＳは、上述したような分割されたブロードキャストメッセージを、１つ以上のフレームを通して順次に受信する。すなわち、上記受信されたブロードキャストメッセージが分割されたＭＯＢ_ＮＢＲ-ＡＤＶメッセージである場合、ＭＳは、ＭＯＢ_ＮＢＲ-ＡＤＶメッセージのフィールド値を確認し、特に、分割されたＭＯＢ_ＮＢＲ-ＡＤＶメッセージの総個数を示す‘Ｔｏｔａｌ Ｆｒａｇｍｅｎｔａｉｏｎ’フィールドの値を確認することによって、現在のフレームで送信されるＭＯＢ_ＮＢＲ-ＡＤＶメッセージが分割されたＭＯＢ_ＮＢＲ-ＡＤＶメッセージであるか否かを判定する。
【００５９】
すなわち、現在受信されたＭＯＢ_ＮＢＲ-ＡＤＶメッセージの‘Ｔｏｔａｌ Ｆｒａｇｍｅｎｔａｉｏｎ’フィールドが‘００００’の値を有する場合、分割されないＭＯＢ_ＮＢＲ-ＡＤＶメッセージを意味するので、ＭＳは、現在のフレームで送信される分割されない１つのＭＯＢ_ＮＢＲ-ＡＤＶメッセージのみを受信すればよく、現在受信されたＭＯＢ_ＮＢＲ-ＡＤＶメッセージをデコーディングすることによって、ＭＳは、現在受信されたＭＯＢ_ＮＢＲ-ＡＤＶメッセージから隣接ＢＳの情報を獲得することができる。現在受信されるＭＯＢ_ＮＢＲ-ＡＤＶメッセージの‘Ｔｏｔａｌ Ｆｒａｇｍｅｎｔａｉｏｎ’フィールドが‘００００’ではない値を有する場合、ＭＳは、‘Ｔｏｔａｌ Ｆｒａｇｍｅｎｔａｉｏｎ’フィールドの値を通じてすべての分割されたＭＯＢ_ＮＢＲ-ＡＤＶメッセージの個数を確認して、次のフレームで送信される次の分割されたＭＯＢ_ＮＢＲ-ＡＤＶメッセージの受信を待機する。すなわち、ＭＳは、順次に送信される１つ以上のフレームを通して、分割されたＭＯＢ_ＮＢＲ-ＡＤＶメッセージを受信し、受信されたＭＯＢ_ＮＢＲ-ＡＤＶメッセージをデコーディングして、すべての隣接ＢＳの情報を獲得することができると共に、同様に、分割されたすべてのＭＯＢ_ＮＢＲ-ＡＤＶメッセージを受信することによって、サービングＢＳがブロードキャストする隣接ＢＳの情報をすべて獲得することができる。
【００６０】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００６１】
【図１】本発明の実施形態によるＢＷＡ通信システムにおける相互に異なる運営モードを支援するＢＳにより管理されるセル間を移動するＭＳのハンドオフを支援する構成を概略的に示す図である。
【図２】本発明の実施形態によるＢＷＡ通信システムで提案されたＭＯＢ_ＮＢＲ-ＡＤＶメッセージのフォーマットを概略的に示す図である。
【図３】本発明の実施形態によるＢＷＡ通信システムにおけるＭＯＢ_ＮＢＲ-ＡＤＶメッセージを分割する方法を示す図である。
【図４】本発明の実施形態に従って、隣接ＢＳ情報を含むブロードキャストメッセージを構成して送受信するサービングＢＳの動作過程を示すフローチャートである。
【符号の説明】
【００６２】
１０１    セル１
１０３    セル２
１０５    セル３
１０７    セル４
１０９    セル５
１１１    セル６
１１３    セル７
１２１、１２３、１２５、１２７、１２９、１３１、１３３    ＢＳ
１５０    ＭＳ
３０１    ‘Ｍａｎａｇｅｍｅｎｔ Ｍｅｓｓａｇｅ Ｔｙｐｅ’フィールド
３０３    ‘Ｏｐｅｒａｔｏｒ ＩＤ’フィールド
３０５    ‘Ｎ_ＮＥＩＧＨＢＯＲＳ’フィールドを含むと共に上記隣接ＢＳの情報を示すフィールド
３０７    ‘ＨＭＡＣ Ｔｕｐｌｅ’フィールド
３０９    フレーム
３１０    ＭＯＢ_ＮＢＲ-ＡＤＶメッセージ
３２０    第１のＭＯＢ_ＮＢＲ-ＡＤＶメッセージ
３２１    ‘Ｆｒａｇｍｅｎｔａｔｉｏｎ Ｉｎｄｅｘ’フィールド
３２３    ‘Ｔｏｔａｌ Ｆｒａｇｍｅｎｔａｉｏｎ’フィールド
３２５    ‘Ｎ_ＮＥＩＧＨＢＯＲＳフィールド’を含むと共に隣接ＢＳの情報を示すフィールド
３２７    現在のフレーム
３３０    第２のＭＯＢ_ＮＢＲ-ＡＤＶメッセージ
３３３    ‘Ｔｏｔａｌ Ｆｒａｇｍｅｎｔａｉｏｎ’フィールド
３３５    隣接ＢＳの情報を示し‘Ｎ_ＮＥＩＧＨＢＯＲＳ’フィールドを含むフィールド
３３７    すぐ次のフレーム
【図１】
2008506301.tif 000005
【図２】
2008506301.tif 000006
【図３】
2008506301.tif 000007
【図４】
2008506301.tif 000008
【国際調査報告】
2008506301.tif 000009
2008506301.tif 000010